(57)【要約】【課題】反射光の全部又は大部分が開口部から前方に放射されるようにすることにより、所定の光学性能を維持しつつ薄型化、小型化を図る。【解決手段】円筒曲面の一部からなる互いに対向された一対の第１の反射面２４，２５と、一対の第１の反射面に連続されると共に内部にキセノン管１２が収納される第２の反射面２６を備えて構成されている。一対の第１の反射面２４，２５と第２の反射面２６とが連続する連続部Ｂ１，Ｂ２を、キセノン管１２の中心部Ｏよりも一対の第１の反射面２４，２５の開口部１３ａ側に設定する。【選択図】      図１
2004212926.tif 000002
【特許請求の範囲】
【請求項１】
円筒曲面の一部からなる互いに対向された一対の第１の反射面と、
前記一対の第１の反射面に連続されると共に内部に光源が収納される第２の反射面と、を備え、
前記一対の第１の反射面と前記第２の反射面とが連続する連続部を、収納された前記光源の中心部よりも一対の第１の反射面の開口部側に設定したことを特徴とする電子閃光装置用反射鏡。
【請求項２】
前記第２の反射面は、前記光源の中心部を曲率半径の中心とすることにより得られる円筒状の円筒面部と、前記円筒面部の一部に設けられると共に前記一対の第１の反射面を対称にする中心面と略平行に展開された一対の平行平面部と、前記円筒面部の一部に設けられると共に前記連続部と前記中心部を結ぶ線の延長線と前記円筒面部とが交差する第１の交差部から接線方向に延在され且つ前記平行平面部と交差する第２の交差部まで展開された一対の傾斜平面部と、からなることを特徴とする請求項１記載の電子閃光装置用反射鏡。
【請求項３】
前記一対の第１の反射面と前記第２の反射面とを連続する一対の連続部間の長さを、前記第２の反射面の一部をなす円筒面部の直径よりも小さくしたことを特徴とする請求項１記載の電子閃光装置用反射鏡。
【請求項４】
前記第２の反射面は、前記光源の位置を前記中心面に沿って移動調整可能として楕円形に形成したことを特徴とする請求項１記載の電子閃光装置用反射鏡。
【請求項５】
前記第２の反射面は、前記光源の中心部を曲率半径の中心とすることにより得られる曲面部と、前記中心部を通り且つ前記中心面と垂直に交差する垂直面に対して前記曲率半径が交差する垂直交差部から中心面と略平行に展開された一対の平行平面部と、前記曲面部の一側に連続されると共に前記連続部と前記中心部を結ぶ線の延長線と曲面部とが交差する第１の交差部から接線方向に延在され且つ前記平行平面部と交差する第２の交差部まで展開された一対の傾斜平面部と、からなることを特徴とする請求項１記載の電子閃光装置用反射鏡。
【請求項６】
前記第２の反射面は、前記光源の中心部を曲率半径の中心とすることにより得られる楕円状の円筒面部と、前記円筒面部の一部に設けられると共に前記一対の第１の反射面を対称にする中心面と略平行に展開された一対の平行平面部と、前記円筒面部の一部に設けられると共に前記連続部と前記中心部を結ぶ線の延長線と前記円筒面部とが交差する第１の交差部から接線方向に延在され且つ前記平行平面部と交差する第２の交差部まで展開された一対の傾斜平面部と、からなることを特徴とする請求項１記載の電子閃光装置用反射鏡。
【請求項７】
前記第２の反射面は、前記光源の中心部を曲率半径の中心とすることにより得られる第１の曲面部と、前記連結部を通り且つ曲率半径の中心を前記光源の中心部から連結部に対して近づく側又は遠ざかる側へ偏倚することにより得られる第２の曲面部と、前記第１の曲面部の両側に連続されると共に前記連続部と前記中心部を結ぶ線の延長線と第１の曲面部とが交差する第１の交差部から接線方向に延在され且つ前記中心部を通って前記中心面と垂直に交差する垂直面と交差する前記第２の曲面部まで展開された一対の傾斜部と、からなることを特徴とする請求項１記載の電子閃光装置用反射鏡。
【請求項８】
前記第２の曲面部の曲率半径の中心部は、前記連続部と前記中心部を結ぶ線の延長線と第１の曲面部とが交差する第１の交差部から前記中心面に垂直に降ろした交点又はその近傍の交点としたことを特徴とする請求項７記載の電子閃光装置用反射鏡。
【請求項９】
光源と、
前記光源から放射される光をその反射面で反射させる反射鏡と、を備えた電子閃光装置において、
前記反射鏡は、円筒曲面の一部からなる互いに対向された一対の第１の反射面と、
前記一対の第１の反射面に連続されると共に中央部に光源が収納される第２の反射面を備え、
前記一対の第１の反射面と前記第２の反射面とが連続する連続部を、収納された前記光源の中心部よりも一対の第１の反射面の開口部側に設定したことを特徴とする電子閃光装置。
【発明の詳細な説明】
【０００１】
【発明の属する技術分野】
本発明は、光源から放射された直接光及び反射面で反射された反射光をまとめて被写体に照射させる電子閃光装置に用いられる反射鏡、及びその反射鏡を用いた電子閃光装置に関するものである。
【０００２】
【従来の技術】
従来の、電子閃光装置用反射鏡としては、例えば、図１２に示すようなものがある（例えば、特許文献１）。この反射鏡１は、中央部に光源２が収納される光源収納部３と、この光源収納部３の長手方向と交差する方向の両側に連続して形成された上面部４及び下面部５を備えている。光源収納部３は、収納された光源２の中心Ｏを曲率半径の中心として形成された円筒状の円筒面部を有し、この円筒面部の内面が第２の反射面３ａとされている。また、上面部４及び下面部５の各内面が第１の反射面４ａ，５ａとされている。これら第１の反射面４ａ，５ａは、上下に対をなす上面部４及び下面部５の中心面Ｌを基準として上下対称に形成されている。
【０００３】
この反射鏡１の光源収納部３と上下面部４，５とが連続される連続部分６，６を含む仮想平面７は、光源２の中心Ｏよりも距離Ｍだけ背面側（反射鏡１の開口部８と反対側）に変位するよう設定されている。このような反射鏡１によれば、光源２から出た光Ｎは、図に示すような配光角α（例えば、４５度）をもって開口部８から前方に放射される。
【０００４】
また、電子閃光装置の他の例としては、例えば、特許文献２に記載されているようなものもある。この特許文献２には、車体前部の左右に配置された前照灯の間に配置され、ランプを内蔵することによって部品点数、組立及び組付工数の低減を図ることができるランプ一体型フロントグリルに関するものが記載されている。
【０００５】
このランプ一体型フロントグリルは、車体前部の左右に配置された前照灯の間に配置されるランプ一体型フロントグリルであって、左右に長くかつ左右両端部に前面に開口した反射凹部を有すると共に、内面が反射面とされたボディと、前記ボディにその前面を覆うように被着されたレンズと、ボディの前記凹部に取着された電球を備え、ボディは反射凹部以外の部分において上方部に比して下方部の空間が広く形成され、レンズにはその全体に亘ってレンズステップが形成され、更に、反射凹部の開口縁が電球の光源部からレンズの端部に直射する光を遮らない位置にある、ことを特徴としている。
【０００６】
【特許文献１】
特開平５−２５７１９４号公報（第２頁、図５）
【特許文献２】
特開平１−２６５４０１号公報（第２〜３頁、第４図）
【０００７】
【発明が解決しようとする課題】
しかしながら、上述したような電子閃光装置用反射鏡、特に、特許文献１のものにおいては、一対の第１の反射面４ａ，５ａの開口部８の寸法が広く、配光角αが考慮されていないため、開口部８から放射される直射光を所定の配光角内に入れるには奥行きが深くなってしまい、電子閃光装置の薄型化、小型化ができないという課題があった。また、プロテクターを使用して配光角を狭くしても、これには一定の限界があり、配光角の外に放射される光があるため、放射効率が悪いという課題もあった。
【０００８】
更に、従来の反射鏡では、反射光を有効に利用できなくなるため、所定の光学性能を維持したまま開口部の寸法を小さくすることが困難であった。また、従来の反射鏡においても、開口部の寸法を小さくしたものも存在するが、その場合には、プロテクターを特殊な非球面レンズ系にしてユニット化して使用することが必要となり、構造が複雑で高価なものになっているという課題があった。
【０００９】
本発明は、このような従来の課題を解決するためになされたものであり、光源から後方に放射される光を反射する第２の反射面等の形状を工夫し、反射光の全部又は大部分が開口部から前方に所定の配光角で放射されるようにすることにより、所定の光学性能を維持しつつ薄型化、小型化を図ることができる電子閃光装置用反射鏡、及びその反射鏡を用いた電子閃光装置を提供することを目的としている。
【００１０】
【課題を解決するための手段】
前記課題を解決し、前記目的を達成するため、本出願の請求項１記載の電子閃光装置用反射鏡は、円筒曲面の一部からなる互いに対向された一対の第１の反射面と、一対の第１の反射面に連続されると共に内部に光源が収納される第２の反射面と、を備え、一対の第１の反射面と第２の反射面とが連続する連続部を、収納された光源の中心部よりも一対の第１の反射面の開口部側に設定したことを特徴としている。
【００１１】
本出願の請求項２記載の電子閃光装置用反射鏡は、第２の反射面は、光源の中心部を曲率半径の中心とすることにより得られる円筒状の円筒面部と、円筒面部の一部に設けられると共に一対の第１の反射面を対称にする中心面と略平行に展開された一対の平行平面部と、円筒面部の一部に設けられると共に連続部と中心部を結ぶ線の延長線と円筒面部とが交差する第１の交差部から接線方向に延在され且つ平行平面部と交差する第２の交差部まで展開された一対の傾斜平面部と、からなることを特徴としている。
【００１２】
本出願の請求項３記載の電子閃光装置用反射鏡は、一対の第１の反射面と第２の反射面とを連続する一対の連続部間の長さを、第２の反射面の一部をなす円筒面部の直径よりも小さくしたことを特徴としている。
第２の反射面
【００１３】
本出願の請求項４記載の電子閃光装置用反射鏡は、第２の反射面は、光源の位置を中心面に沿って移動調整可能として楕円形に形成したことを特徴としている。
【００１４】
本出願の請求項５記載の電子閃光装置用反射鏡は、第２の反射面は、光源の中心部を曲率半径の中心とすることにより得られる曲面部と、中心部を通り且つ中心面と垂直に交差する垂直面に対して曲率半径が交差する垂直交差部から中心面と略平行に展開された一対の平行平面部と、曲面部の一側に連続されると共に連続部と中心部を結ぶ線の延長線と曲面部とが交差する第１の交差部から接線方向に延在され且つ平行平面部と交差する第２の交差部まで展開された一対の傾斜平面部と、からなることを特徴としている。
【００１５】
本出願の請求項６記載の電子閃光装置用反射鏡は、第２の反射面は、光源の中心部を曲率半径の中心とすることにより得られる楕円状の円筒面部と、円筒面部の一部に設けられると共に一対の第１の反射面を対称にする中心面と略平行に展開された一対の平行平面部と、円筒面部の一部に設けられると共に連続部と中心部を結ぶ線の延長線と円筒面部とが交差する第１の交差部から接線方向に延在され且つ平行平面部と交差する第２の交差部まで展開された一対の傾斜平面部と、からなることを特徴としている。
【００１６】
本出願の請求項７記載の電子閃光装置用反射鏡は、第２の反射面は、光源の中心部を曲率半径の中心とすることにより得られる第１の曲面部と、連結部を通り且つ曲率半径の中心を光源の中心部から連結部に対して近づく側又は遠ざかる側へ偏倚することにより得られる第２の曲面部と、第１の曲面部の両側に連続されると共に連続部と中心部を結ぶ線の延長線と第１の曲面部とが交差する第１の交差部から接線方向に延在され且つ中心部を通って中心面と垂直に交差する垂直面と交差する第２の曲面部まで展開された一対の傾斜部と、からなることを特徴としている。
【００１７】
本出願の請求項８記載の電子閃光装置用反射鏡は、第２の曲面部の曲率半径の中心部は、連続部と中心部を結ぶ線の延長線と第１の曲面部とが交差する第１の交差部から中心面に垂直に降ろした交点又はその近傍の交点としたことを特徴としている。
【００１８】
本出願の請求項９記載の電子閃光装置は、光源と、光源から放射される光をその反射面で反射させる反射鏡と、を備えた電子閃光装置において、反射鏡は、円筒曲面の一部からなる互いに対向された一対の第１の反射面と、一対の第１の反射面に連続されると共に中央部に光源が収納される第２の反射面を備え、一対の第１の反射面と第２の反射面とが連続する連続部を、収納された光源の中心部よりも一対の第１の反射面の開口部側に設定したことを特徴としている。
【００１９】
前記のように構成したことにより、本出願の請求項１記載の電子閃光装置用反射鏡では、一対の第１の反射面と第２の反射面との連続部を、第２の反射面に収納された光源の中心部よりも一対の第１の反射面の開口部側に設定することにより、反射光の全部又は大部分を所定の配光角によって開口部から前方に放射させることができ、所定の光学性能を維持しつつ電子閃光装置の薄型化、小型化を図ることができる。
【００２０】
本出願の請求項２記載の電子閃光装置用反射鏡では、第２の反射面を、円筒面部と一対の平行平面部と一対の傾斜平面部とで構成することにより、第２の反射面を利用して、光源から出た光を１度、２度或いはそれ以上に反射させて開口部から前方へ効率よく放射させることができる。
【００２１】
本出願の請求項３記載の電子閃光装置用反射鏡では、一対の第１の反射面と第２の反射面を連続する一対の連続部間の長さを、第２の反射面の直径よりも小さくすることにより、第２の反射面で反射されて第１の反射面側に向かう光量を増加させ、開口部から前方へ放射される光量を増加させることができる。
【００２２】
本出願の請求項４記載の電子閃光装置用反射鏡では、第２の反射面を楕円形とすることにより、光源の位置を中心面に沿って前後方向へ移動調整可能として、光源から放射される光の配光角の調整を簡単且つ確実に行うことができる。
【００２３】
本出願の請求項５記載の電子閃光装置用反射鏡では、第２の反射面を、曲面部と一対の平行平面部と一対の傾斜平面部とで構成することにより、第２の反射面を利用して、光源から出た光を１度、２度或いはそれ以上に反射させて開口部から前方へ効率よく放射させることができる。
【００２４】
本出願の請求項６記載の電子閃光装置用反射鏡では、第２の反射面を、円筒面部と一対の平行平面部と一対の傾斜平面部とで構成することにより、第２の反射面を利用して、光源から出た光を１度、２度或いはそれ以上に反射させて開口部から前方へ効率よく放射させることができる。
【００２５】
本出願の請求項７記載の電子閃光装置用反射鏡では、第２の反射面を、第１の曲面部と第２の曲面部と一対の傾斜部とで構成することにより、第２の反射面を利用して、光源から出た光を１度、２度或いはそれ以上に反射させて開口部から前方へ効率よく放射させることができる。
【００２６】
本出願の請求項８記載の電子閃光装置用反射鏡では、第２の曲面部の曲率半径の中心部を、第１の交差部から中心面に垂直に降ろした交点又はその近傍の交点とすることにより、光源から出た光を第２の反射面から第１の反射面側に効率よく反射させ、開口部から前方へ効率よく放射させることができる。
【００２７】
また、本出願の請求項９記載の電子閃光装置では、光源から放射される光を反射させる反射鏡に一対の第１の反射面と第２の反射面を設け、その第１の反射面と第２の反射面とが連続する連続部を光源の中心部よりも開口部側に設定することにより、反射光の全部又は大部分を開口部から前方に放射させることができ、所定の光学性能を維持しつつ電子閃光装置全体の薄型化、小型化を図ることができる。
【００２８】
【発明の実施の形態】
以下、本発明の実施の形態を、添付図面を参照して説明する。図１乃至図１１は、本発明の実施の形態を示すものである。即ち、図１は本発明の電子閃光装置用反射鏡の第１の実施例を示す説明図、図２Ａ，Ｂ，Ｃ及び図３Ａ，Ｂ，Ｃは図１に示す反射鏡による光の反射と光路の例を示す説明図、図４は本発明の反射鏡の第２の実施例を示す説明図、図５は同じく第３の実施例を示す説明図、図６は同じく第４の実施例を示す説明図、図７は同じく第５の実施例を示す説明図、図８は図１の反射鏡が使用された電子閃光装置の実施例を示す分解斜視図、図９は同じく電子閃光装置の組立状態を示す斜視図、図１０は図９の電子閃光装置が使用されたデジタルスチルカメラの実施例を示すレンズカバーを開いた状態の斜視図、図１１は同じくレンズカバーを閉じた状態の斜視図である。
【００２９】
図８に示すように、本発明に係る電子閃光装置１０は、プロテクター１１と、光源としてのキセノン管１２と、反射鏡（リフレクター）１３と、ホルダ１４と、シールドゴム１５と、フレキシブルプリント配線板（以下「フレキ板」という。）１６を備えて構成されている。
【００３０】
反射鏡１３は、図８に示すように、上下に対向された略円筒曲面の一部からなる一対の上面部２０及び下面部２１と、左右に対向された一対の側面部２２，２２と、これらの背面側に連続された光源収納部２３とから構成されている。上下面部２０，２１と左右側面部２２，２２は、背面側を狭めることによって開口部１３ａ側が広げられた略ラッパのような断面形状をなしており、その背面側を閉じるように光源収納部２３が一体に設けられている。
【００３１】
図１に示すように、上下面部２０，２１及び光源収納部２３は、中心面Ｌを基準として上下方向に対称となる形状とされている。この上下面部２０，２１の各内面が上下方向に対向された対をなす第１の反射面２４，２５を構成し、光源収納部２３の内面が第２の反射面２６を構成している。これら一対の第１の反射面２４，２５、第２の反射面２６及び左右側面部２２，２２の内面である第３の反射面は、光を良く反射できるように、例えば、鏡面加工等を施すことによって形成されている。
【００３２】
第１の反射面２４，２５は、それぞれ全体として略円筒状をなす円筒曲面の一部をなす形状として形成されているが、その断面形状としては、例えば、円形、楕円形、放物線、二次曲線、三次曲線その他の曲線を適用することができる。また、左右の側面部２２，２２は、適当な大きさの曲率半径を有する曲面であってもよく、また、適当な角度に傾斜された平面であってもよい。
【００３３】
光源収納部２３の両側面には、第２の反射面２６と同様の形状を有する穴２３ａが開口されている。この穴２３ａからキセノン管１２を出し入れすることにより、光源収納部２３の中央部Ｏに設けられ且つその内面が第２の反射面を構成する中央穴２８にキセノン管１２が着脱自在に装着される。中央穴２８の内径はキセノン管１２の外径と略同一に設定されており、ほとんどガタのない状態でキセノン管１２が中央穴２８に嵌り合うようにされている。これにより、光源であるキセノン管１２は、第２の反射面２６によって周囲が１８０度を超えて囲むように覆われる。
【００３４】
更に、第１の反射面２４，２５と第２の反射面２６とが交わるように連続する連続部Ｂ１，Ｂ２の間に、第２の反射面２６を形成する曲率半径Ｒの２倍の長さよりも短い隙間を形成するクビレ部３７，３７がそれぞれ形成されている。中央穴２８の内面である第２の反射面２６は、第１の反射面２４，２５とは異なって、その中心部Ｏを曲率半径Ｒの中心とすることによって得られる円筒状の円筒面部の一部に平面部が設けられた非円筒状に形成されている。これにより、光源収納部２３にキセノン管１２を挿入するだけで位置決めを行うことができ、キセノン管１２の位置を反射面の所定位置に精度良く確実に配置することができる。
【００３５】
即ち、第２の反射面２６は、中央穴２８の中心部Ｏを中心とすると共にキセノン管１２の直径の１／２を曲率半径Ｒとすることによって得られる円弧が軸方向に連続された円筒状の円筒面部２６からなる上下一対の前側円筒面３０，３１及び後側円筒面３２と、一対の前側円筒面３０の後方に連続されると共に中心面Ｌと平行に延在された上下一対の平行平面３３，３４と、後側円筒面３２の前方に連続されると共に中心面Ｌに対して所定角度傾斜され且つ前端部が一対の平行平面３３，３４にそれぞれ連続される一対の傾斜平面３５，３６とから構成されている。
【００３６】
一対の平行平面３３，３４は、中央穴２８の中心部Ｏを通り且つ中心面Ｌと直交する方向に展開される垂直面（Ｘ軸と直交する方向であるＹ軸上の面）３８と円筒面部２６とが交差する垂直交差部Ｃ１及びＣ２を一端として接線方向に延在され且つ一対の傾斜平面３５，３６と交差する第２の交差部Ｅ１及びＥ２を他端とする平面である。この上下の垂直交差部Ｃ１，Ｃ２は、垂直面３８上の点であることが最も好ましいが、これに限定されるものではない。
【００３７】
即ち、平行平面３３，３４とは、厳密な意味で中心面Ｌと平行であることを意味するものではない。例えば、垂直面３８から開口部１３ａ側に変位した位置に垂直交差部Ｃ１，Ｃ２を設定しても良く、この場合の平行平面は、開口部１３ａ側よりも背面側が広くなる。また、これとは逆に、垂直面３８から背面側に変位した位置に垂直交差部Ｃ１，Ｃ２を設定しても良く、この場合の平行平面は、背面側よりも開口部１３ａ側が広くなる。
【００３８】
一対の傾斜平面３５，３６は、一対の第１の反射面２４，２５と一対の前側円筒面３０，３１とが交差する連続部Ｂ１及びＢ２と中央穴２８の中心部Ｏを結んだ線の延長線と後側円筒面３２とが交差する第１の交差部Ｄ１及びＤ２を一端として接線方向に延在され且つ一対の傾斜平面３５，３６と交差する第２の交差部Ｅ１及びＥ２を他端とする平面である。この第２の交差部Ｅ１，Ｅ２も垂直交差部Ｃ１，Ｃ２と同様に、図１に示した位置に限定されるものではなく、垂直交差部Ｃ１，Ｃ２の位置に対応して前後方向へ適当に変位可能なものである。
【００３９】
このような構成を有する反射鏡１３の材質としては、例えば、ドイツ国、アノラッド社製の「ＭＩＲＯ（商標名）」を適用することができる。この「ＭＩＲＯ（商標名）」は、アルミニウムの基材表面に高純度アルミニウムの真空蒸着を施し、更に透明な酸化膜を蒸着して増反射処理を行ったものである。しかしながら、反射鏡１３の材質は、これに限定されるものではなく、光に対する全反射率の高いものであれば、各種の材料を用いることができるものである。
【００４０】
光源としてのキセノン管１２は、高圧キセノンガスが封入された円筒状のランプ１２ａと、このランプ１２ａの両端から突出された電極端子１２ｂ，１２ｂを有している。このキセノン管１２を反射鏡１３の中央穴２８に挿入すると、両端の電極端子１２ｂ，１２ｂ及びランプ１２ａの両端部が光源収納部２３の両側部から側方に突出される。
【００４１】
このキセノン管１２が装着された反射鏡１３は、その背面に配置されるホルダ１４に装着されている。ホルダ１４は、断面形状が略コ字状をなす樋状の部材からなり、背面部１４ａとその両端に連続された上面部１４ｂ及び下面部１４ｃとで囲まれた凹部３９内に反射鏡１３の光源収納部２３が挿入されて嵌合される。このホルダ１４の上面部１４ｂ及び下面部１４ｃには、プロテクター１１を係合保持するための係合爪４０と、プロテクター１１を所定深さに位置決めするための複数の位置決め突部４１がそれぞれ設けられている。
【００４２】
ホルダ１４の材質としては、例えば、ＡＢＳ樹脂（アクリロニトリル・ブタジエン・スチレン樹脂）が好適であるが、これに限定されるものではなく、他のプラスチックは勿論のこと、プラスチック以外の金属等を用いることもできる。
【００４３】
このホルダ１４と反射鏡１３が、シールドゴム１５により締め付けられて一体的に固定されている。シールドゴム１５は、キセノン管１２の両端を支持する一対の支持部１５ａ，１５ａと、両支持部１５ａ，１５ａを連結する連結部１５ｂとからなり、弾性を有する材料によって一体に構成されている。一対の支持部１５ａ，１５ａには、キセノン管１２の各端部が挿入される支持穴１５ｃが設けられている。このシールドゴム１５の材質としては、例えば、シリコンゴムが好適であるが、他のゴム状弾性部材を用いることができることは勿論である。
【００４４】
シールドゴム１５の背面には、キセノン管１２に電力を供給する電源との間を電気的に接続するためのフレキ板１６が配設されている。フレキ板１６は、キセノン管１２の軸方向両端に突出された電極端子１２ｂ，１２ｂに接続される電極端子部１６ａ，１６ａと、反射鏡１３に接続されるアース端子部１６ｂを有している。これらの端子部１６ａ，１６ａ及び１６ｂを電極端子１２ｂ，１２ｂ及び反射鏡１３に接続することにより、電気的な接続が行われる。
【００４５】
この反射鏡１３の前部には、透明な材料で形成されたプロテクター１１が着脱自在に装着される。プロテクター１１は、反射鏡１３の光源収納部２３の中途部から前側を覆う一面にのみ開口された本体部１１ａと、光源収納部２３に収納されたキセノン管１２の電極端子１２ｂ，１２ｂの外側を覆うカバー部１１ｂ，１１ｂとからなり、正面にはフレネルレンズ部４３が設けられている。そして、本体部１１ａの上面と下面には、ホルダ１４の上下の係合爪４０にそれぞれ係合される係合穴４４が設けられている。
【００４６】
このような構成を有する電子閃光装置１０は、例えば、次のようにして簡単に組み立てることができる。まず、反射鏡１３の光源収納部２３に光源であるキセノン管１２を装着する。これは、光源収納部２３の穴２３ａにキセノン管１２を側方から挿入し、両端部から電極端子１２ｂ，１２ｂをそれぞれ突出させる。
【００４７】
次に、ホルダ１４の凹部３９に反射鏡１３の光源収納部２３を嵌め込み、ホルダ１４で反射鏡１３を支持する。次いで、シールドゴム１５の両端の支持穴１５ｃ，１５ｃに電極端子１２ｂ，１２ｂをそれぞれ差し込み、各支持部１５ａで光源収納部２３及びホルダ１４の側面を覆うようにする。この際、予めフレキ板１６のアース端子部１６ｂをホルダ１４に対して電気的に接続させておくようにする。
【００４８】
次に、シールドゴム１５を装着した後、フレキ板１６の両端の電極端子部１６ａ，１６ａをキセノン管１２の電極端子１２ｂ，１２ｂの外側にそれぞれ重ね合わせる。そして、ハンダ付けによって電極端子１２ｂと電極端子部１６ａを電気的に接続する。その後、反射鏡１３の前部にプロテクター１１を取り付ける。これにより、図９示すように、組立作業が完了して電子閃光装置１０が得られる。
【００４９】
このように組み立てられた電子閃光装置１０の作用について、例えば、図２Ａ，Ｂ，Ｃ及び図３Ａ，Ｂ，Ｃを参照して説明する。図示実施例は、最大配光角αを４５度（上配光角αｕが２２．５度であって、下配光角αｄも２２．５度）に設定すると共に、キセノン管１２の中心部Ｏを後側円筒面３２の焦点としたものである。
【００５０】
図２Ａは、キセノン管１２の中心部Ｏから出た光のうち、開口部１３ａに直接向かう光であって、上配光角αｕの範囲内の光Ｓ１及び下配光角αｄの範囲内の光Ｓ２の光路を示すものである。この場合、光Ｓ１及び光Ｓ２は、一対の第１の反射面２４，２５の開口部１３ａ側先端の点Ａ１から点Ａ２までの範囲、即ち、最大配光角α（α＝αｕ＋αｄ）内において、そのまま直線的に進行して前方に放射される。
【００５１】
このとき、キセノン管１２の中心部Ｏから出た光のうち、最大配光角αの角度範囲内において背面側に向かう光Ｓ３は、後側円筒面３２の上側第１の交差部Ｄ１から下側第１の交差部Ｄ２の間に照射される。この上側第１の交差部Ｄ１から下側第１の交差部Ｄ２までの間は、後側円筒面３２の焦点である中心部Ｏを中心として曲率半径Ｒ（キセノン管１２の半径）によって得られる円弧であるため、後側円筒面３２に入射されたその光Ｓ３は、通ってきた光路をそのまま戻って開口部１３ａ側に向かう反射光となる。
【００５２】
図２Ｂは、キセノン管１２の中心部Ｏから出た光であって、第２の反射面２６側に向かう光のうち、上側垂直交差部Ｃ１から上側第２の交差部Ｅ１までの間の上平行平面３３に照射される光（下側垂直交差部Ｃ２から下側第２の交差部Ｅ２までの間の下平行平面３４に照射される光は、上下対称形状となるため同様である。）Ｓ４の光路を示すものである。
【００５３】
キセノン管１２の中心部Ｏから出た光Ｓ４は、上平行平面３３に対して背面側に傾斜して入射されるため、その反射光は、更に背面側に傾斜して後側円筒面３２に入射される。この後側円筒面３２に入射された光は、その入射角度に応じて開口部１３ａ側に向きを変えて反射され、下配光角αｄの範囲内で開口部１３ａ側に進行し、その開口部１３ａから前方に放射される。
【００５４】
図２Ｃは、キセノン管１２の中心部Ｏから出た光であって、第２の反射面２６側に向かう光のうち、上側連続部Ｂ１から上側垂直交差部Ｃ１までの間の上前側円筒面３０に照射される光（下側連続部Ｂ２から下側垂直交差部Ｃ２までの間の下前側円筒面３１に照射される光は、上下対称形状となるため同様である。）Ｓ５の光路を示すものである。
【００５５】
キセノン管１２の中心部Ｏから出た光Ｓ５は、上前側円筒面３０に対して垂直に照射されるため、その反射光は、通ってきた光路をそのまま戻って反対側に向かい、下平行平面３４に入射される。この下平行平面３４に入射された光は、更に背面側に反射されて後側円筒面３２に入射される。この後側円筒面３２に入射された光は、その入射角度に応じて開口部１３ａ側に向きを変えて反射され、下配光角αｄの範囲内で開口部１３ａ側に進行し、その開口部１３ａから前方に放射される。
【００５６】
図３Ａは、キセノン管１２の中心部Ｏから出た光であって、開口部１３ａ側に向かう光のうち、点Ａ１から上側連続部Ｂ１までの間の上第１の反射面２４に照射される光（点Ａ２から下側連続部Ｂ２までの間の下第１の反射面２５に照射される光は、上下対称形状となるため同様である。）Ｓ６及びＳ７の光路を示すものである。
【００５７】
キセノン管１２の中心部Ｏから出た光Ｓ６及びＳ７は、上第１の反射面２４に対して開口部１３ａ側に傾斜して入射される。このとき、上第１の反射面２４の焦点が点Ｔであるため（下第１の反射面２５も同様である。）、上第１の反射面２４で反射された反射光は、光Ｓ６及びＳ７のいずれの場合でも、その焦点Ｔに向かうように進行する。これにより、図２Ａの直射光の場合と同様に、上第１の反射面２４である点Ａ一から上側連続部Ｂ１のエリア内に入った光は、すべて上配光角αｕ内の反射光となって開口部１３ａから前方に放射される。
【００５８】
このとき、キセノン管１２の中心部Ｏから出た光のうち、点Ａ１から上側連続部Ｂ１までの範囲（点Ａ２から下側連続部Ｂ２までの範囲の場合も同様である。）内において背面側に向かう光Ｓ８は、後側円筒面３２の上側第１の交差部Ｄ１から下側第１の交差部Ｄ２の間に照射される。従って、後側円筒面３２の上側第１の交差部Ｄ１から下側第１の交差部Ｄ２までの間に入射された光Ｓ８は、通ってきた光路をそのまま戻り、上第１の反射面２４（下第１の反射面２５の場合も同様である。）で反射されて、開口部１３ａから前方に放射される。
【００５９】
図３Ｂは、キセノン管１２の中心部Ｏから出た光であって、第２の反射面２６側に向かう光のうち、上側第２の交差部Ｅ１から上側第１の交差部Ｄ１までの間の上傾斜平面３５に照射される光（下側第２の交差部Ｅ２から下側第１の交差部Ｄ２までの間の下平行平面３６に照射される光は、上下対称形状となるため同様である。）Ｓ９及びＳ１０の光路を示すものである。
【００６０】
キセノン管１２の中心部Ｏから出た光Ｓ９は、上傾斜平面３５に対して傾斜して入射されるため、その反射光は、その入射角度に応じて開口部１３ａ側に向きを変えて反射される。そして、前方の下第１の反射面２５で反射されて上方に向きを変え、配光角αの範囲内で開口部１３ａから前方に放射される。
【００６１】
また、キセノン管１２の中心部Ｏから出た光Ｓ１０は、上傾斜平面３５に対して垂直に入射されるため、その反射光は、通ってきた光路をそのまま戻って反対側に向かう。更に、その反射光は、前方の下第１の反射面２５で反射されて上方に向きを変える。そして、焦点Ｔに向かうように進行し、その開口部１３ａから前方に放射される。
【００６２】
図３Ｃは、キセノン管１２の中心部Ｏから出た光であって、第２の反射面２６側に向かう光のうち、上側垂直交差部Ｃ１から上側第２の交差部Ｅ１までの間の上平行平面３３に照射される光（下側垂直交差部Ｃ２から下側第２の交差部Ｅ２までの間の下平行平面３４に照射される光は、上下対称形状となるため同様である。）Ｓ１１と、下側連続部Ｂ２から下側垂直交差部Ｃ２までの間の下前側円筒面３１に照射される光（上側連続部Ｂ１から上側垂直交差部Ｃ１までの間の上前側円筒面３０に照射される光は、上下対称形状となるため同様である。）Ｓ１２の光路を示すものである。
【００６３】
キセノン管１２の中心部Ｏから出た光Ｓ１１は、上平行平面３３に対して傾斜して入射されるため、その反射光は、その入射角度に応じて背面側に向きを変えて反射される。その反射光は後側円筒面３２に入射され、その入射角度に応じて開口部１３ａ側に向きを変えて反射される。そして、開口部１３ａ側に進行し、配光角αの範囲内で開口部１３ａから前方に放射される。
【００６４】
また、キセノン管１２の中心部Ｏから出た光Ｓ１２は、下前側円筒面３１に対して垂直に入射されるため、その反射光は、通ってきた光路をそのまま戻って反対側に向かう。そして、上平行平面３３に入射された後、上述した光１１と同様の光路を経て、上平行平面３３及び後側円筒面３２を介して、進行方向を前方に変え、開口部１３ａから前方に放射される。
【００６５】
このように、本実施例によれば、光源であるキセノン管１２から直接前方に放射される光は、直接又は第１の反射面２４，２５で反射されて従来と同様に前方に放射されるため変化はないが、キセノン管１２から後方に放射される光については、第２の反射面２６によって大きく反射効率が高められている。
【００６６】
即ち、第２の反射面２６の反射光を考えた場合に、上側第１の交差部Ｄ１から下側第１の交差部Ｄ２までの後側円筒面３２では、０度から±２２．５度までの範囲で反射される。また、上側垂直交差部Ｃ１から上側第２の交差部Ｅ１までの上平行平面３３及び下側垂直交差部Ｃ２から下側垂直交差部Ｅ２までの下平行平面３４に入射される光は、後側円筒面３２で１次反射された後、そのまま直に或いは第１の反射面２４，２５で２次反射されて前方に放射される。また、上側第２の交差部Ｅ１から上側第１の交差部Ｄ１までの上傾斜平面３５及び下側第２の交差部Ｅ２から下側第１の交差部Ｄ２までの下傾斜平面３６に入射される光は、その平面で開口部１３ａ側に反射され、そのまま直に或いは第１の反射面２４，２５で２次反射されて前方に放射される。
【００６７】
また、上側連続部Ｂ１から上側垂直交差部Ｃ１までの上前側円筒面３０及び下側連続部Ｂ２から下側垂直交差部Ｃ２までの下前側円筒面３１に入射される光は、上下の平行平面３３，３４又は傾斜平面３５，３６で１次反射された後、後側円筒面３２又は第１の反射面２４，２５で２次反射され、されに場合により３次反射或いはそれ以上の反射を繰り返して、前方の開口部１３ａからすべて外部に放射される。これにより、反射鏡１３内部における反射吸収による熱変換を極力抑えて外部に出力し、多くの光を有効光として利用することができる。従って、本実施例によれば、直射光と反射光とが所定の配光角内においてすべて効率良く放射することが可能となる。
【００６８】
【表１】
2004212926.tif 000003
【００６９】
【表２】
2004212926.tif 000004
【００７０】
【表３】
2004212926.tif 000005
【００７１】
【表４】
2004212926.tif 000006
【００７２】
表１、表２、表３及び表４は、上述した実施例の試験結果を示すものである。この試験には、ＧＮｏ（グレードナンバー）５、６６μＦ、光源として直径１．８ｍｍ、全長２０ｍｍ、アーク長１１±０．５ｍｍのキセノン管を使用し、プロテクターとしてアクリル樹脂製のものを用いた。
【００７３】
表１は、表２の内容をグラフに示したものであり、表３は、表４の内容をグラフに示したものである。表１及び表３において、扇形の幅方向には、電子閃光装置１０の横方向の角度をとり、縦方向には露光量（ＥＶ）をとっている。ここで、露光量（ＥＶ）は、０の値を基準値としており、−１．０は基準値の１／√２であり、−２．０は基準値の１／２である。
【００７４】
また、表２は、中心面Ｌを基準として、上下方向の各角度位置において露光量（ＥＶ）を測定した値を示している。更に、表４は、電子閃光装置１０の中央を基準値０度として、左右方向の各角度位置において露光量（ＥＶ）を測定した値を示している。例えば、上向き角度１０度の位置における測定値は０．１５２であり、また、例えば、左向き角度１５度の位置における測定値は−０．０２４であった。
【００７５】
図４は、本発明に係る反射鏡の第２の実施例を示すものである。この反射鏡４６は、前記実施例における断面形状が略円形をなす光源収納部２３を断面形状が楕円形（長円形）をなす光源収納部４７として構成したものである。光源収納部４７には、前記実施例における平行平面（前側垂直交差部Ｃ１から後側垂直交差部Ｃ２までの平面）を中心面Ｌに沿って延長させることによって平面部４８ａ，４８ｂ（前側上垂直交差部Ｃ１ａ〜後側上垂直交差部Ｃ２ａ、前側下垂直交差部Ｃ１ｂ〜後側下垂直交差部Ｃ２ｂ）が設けられている。他の構成は前記実施例と同様であるため、同一部分には同一の符号を付してそれらの説明を省略する。
【００７６】
この第２の実施例に拠れば、第２の反射面の断面形状を、光軸に対して楕円形となるように構成したため、光源であるキセノン管１２を光軸方向に移動させて取付位置の調整を行うことができる。そのため、キセノン管１２の取付位置を反射面に対して相対的に前後移動させて配光角の調整を行うことができる。また、カメラのズーム動作に連動させてキセノン管１２を前後に移動させる構成とすることもでき、かかる場合にはズーム動作に合わせて照射角を変えることができる。尚、平面部４８ａ，４８ｂの内面も、他の面と同様に反射面であることは勿論である。
【００７７】
図５は、本発明に係る反射鏡の第３の実施例を示すものである。この反射鏡５０は、前記実施例における前側円筒面３０，３１を無くして平行平面３３，３４を開口部１３ａ側に延長し、その平行平面３３，３４を第１の反射面２４，２５に直接交差させるようにして平行平面５１，５２を構成したものである。第１の反射面２４，２５は、光源の中心部Ｏを曲率半径の中心とすることにより形成される曲面部として得られる。他の構成は前記実施例と同様であるため、同一部分には同一の符号を付してそれらの説明を省略する。
【００７８】
この第３の実施例によれば、平行平面３３，３４のうち、上側連続部Ｂ１から上側垂直交差部Ｃ１までの間（下側連続部Ｂ２から下側垂直交差部Ｃ２までの間の場合も同様である。）の垂直面３８より開口部１３ａ側の部分にキセノン管１２の中心部Ｏから出た光Ｓ１３が照射されると、その光は、例えば、下平行平面５２に対して傾斜して入射される（上平行平面５１の場合も同様である。）。そのため、その反射光は、その入射角度に応じて上下平行平面５１，５２及び第１の反射面２４，２５で１次、２次、或いはそれ以上反射されて開口部１３ａ側に進行し、配光角αの範囲内で開口部１３ａから前方に放射される。
【００７９】
他の部分にキセノン管１２の中心部Ｏから出た光が照射される場合は、前記実施例の場合と同様である。このような構成を有する第２の実施例によっても、前記実施例と同様の効果を得ることができる。
【００８０】
図６は、本発明に係る反射鏡の第４の実施例を示すものである。この反射鏡６０は、前記第１の実施例における第２の反射面２６を楕円形として構成したものである。この第４の実施例に係る第２の反射面６１は、同じく光源収納部６２の内面に設定されており、Ｘ軸側を長径とし、Ｙ軸側を短径として構成されている。他の構成は前記実施例と同様であるため、同一部分には同一の符号を付してそれらの説明を省略する。このような構成を有する第２の実施例によっても、前記実施例と同様の効果を得ることができる。
【００８１】
図７は、本発明に係る反射鏡の第５の実施例を示すものである。この反射鏡８０は、前記第１の実施例における光源収納部２３の構造を変更することにより第２の反射面の形状を変形した実施例である。即ち、反射鏡８０は、上面部２０と下面部２１と左右の側面部２２と光源収納部８１とから構成されているが、上面部２０と下面部２１及び左右の側面部２２は同一であり、これらの後部に連続されて一体に形成された光源収納部８１の内面である第２の反射面８２に、前記実施例の第２の反射面２６と異なる特徴がある。そのため、第１の実施例と同一部分には同一の符号を付して重複する部分の説明を省略する。
【００８２】
反射鏡８０の光源収納部８１に設けられた第２の反射面８２は、光源の中心部Ｏを曲率半径Ｒの中心とすることにより得られる第１の曲面部である後側円筒面３２と、上側連結部Ｂ１及び下側連結部Ｂ２をそれぞれ通り且つ曲率半径Ｒａの中心部Ｏａを光源の中心部Ｏより後側（上下連結部Ｂ１，Ｂ２から離れる側）に設定することにより得られる第２の曲面部である上下の前側曲面８３，８４と、後側円筒面３２の両側に連続されると共に上下の連結部Ｂ１，Ｂ２と光源の中心部Ｏとを結ぶ線の延長線と後側円筒面３２とが交差する上下の第１の交差部Ｄ１，Ｄ２からそれぞれ接線方向に延在され且つ中心部Ｏを通る垂直面３８と交差する上下の前側曲面８３，８４まで展開された一対の傾斜部の一具体例を示す傾斜平面部８５，８６とから構成されている。
【００８３】
上下の前側曲面８３，８４の曲率半径Ｒａの中心部Ｏａは、上下の第１の交差部Ｄ１，Ｄ２から中心面Ｌに垂直に降ろした交点にするとよい。かかる場合には、後述するように、各前側曲面８３，８４で反射された光を、後側円筒面３２による１度の反射のみで開口部１３ａから外部にそれぞれ放射させることができる。曲率半径Ｒａの中心部Ｏａの位置は、この実施例に限定されるものではなく、中心部Ｏａから中心部Ｏに近い位置に設定してもよく、また、中心部Ｏから離れる位置に設定してもよいことは勿論である。更に、曲率半径Ｒａの中心部Ｏａの位置は、光源の中心部Ｏから連結部Ｂ１，Ｂ２に対して遠ざかる側へ偏移する場合のみならず、中心部Ｏから連結部Ｂ１，Ｂ２に対して近づく側へ偏倚し、中心部Ｏより開口部１３ａ側に曲率半径Ｒａの中心部Ｏａを設定する構成としてもよい。
【００８４】
第３の実施例の場合、光源（キセノン管１２）から放射された光のうち、上側連結部Ｂ１（下側連結部Ｂ２の場合も上下対称となって同様である。）に向かう光Ｓ１４は、その上側連結部Ｂ１で反射されて後側円筒面３２の中央部に向かい、その中央部近傍において反射される。これにより、後側円筒面３２で反射された反射光は、その入射角度に応じて前側に進行し、１度の反射により配光角αの範囲内で開口部１３ａから前方に放射される。
【００８５】
キセノン管１２から放射された光のうち、その中心部Ｏから上側垂直交差部Ｃ１（下側垂直交差部Ｃ２の場合も同様である。）に向かう光Ｓ１５は、その上側垂直交差部Ｃ１で反射されて後側円筒面３２に向かい、その中央部近傍において反射される。これにより、後側円筒面３２で反射された反射光は、その入射角度に応じて前側に進行し、同じく１度の反射によって配光角αの範囲内で開口部１３ａから前方に放射される。
【００８６】
また、キセノン管１２の中心部Ｏから上側第１の交差部Ｄ１（下側第１の交差部Ｄ２の場合も同様である。）に向かう光Ｓ１６は、その上側第１の交差部Ｄ１で反射されて下側第１の反射面２５側（下側第１の交差部Ｄ２の場合には上側第２の反射面２４側）に向かい、後側円筒面３２で反射されることなく直に、開口部１３ａから前方に放射される。
【００８７】
このように、本実施例によれば、光源であるキセノン管１２から放射される光のうち、上下の前側曲面８３，８４で反射される光は、その上下前側曲面８３，８４が曲面であるため後側円筒面３２による１度の反射によって進行方向が前側に変更される。また、上下の傾斜平面部８５，８６の場合には、その反射面が平面であるため直接前側に変更される。その結果、光の反射回数が極めて少ない１回又は２回のうちに、上下前側曲面８３，８４又は上下傾斜平面部８５，８６で反射された光が開口部１３ａから前方に放射される。このように、本実施例の場合には、光の反射効率を極めて高くすることができる。
【００８８】
尚、図７に示した実施例では、上下前側曲面８３，８４の後端として、光源の中心部Ｏを通り且つ中心面Ｌと垂直をなす垂直面３８上の上下垂直交差部Ｃ１，Ｃ２を適用した例について説明したが、この実施例に限定されるものではなく、上下前側曲面８３，８４の後端部は、中心部Ｏの近傍であって、その中心部Ｏから開口部１３ａに近づく側へ少し偏移した位置にあっても良く、また、その逆側の開口部１３ａから遠ざかる側へ少し偏倚した位置にあっても良いことは勿論である。
【００８９】
要は、本願発明は、反射面２４，２５と逆傾斜の部分についてキセノン管と同心円にするのではなくて、その逆傾斜をより強くすることにより、キセノン管からこの逆傾斜面に当たる光を効率的に開口部１３ａに導こうとするものである。また、一対の傾斜部として、平面からなる一対の傾斜平面部８５，８６を適用したが、曲面からなる一対の傾斜曲面部としても良いことは勿論である。
【００９０】
図１０及び図１１は、上述したような構成を有する電子閃光装置１０が搭載された電子機器の一実施例であるデジタルスチルカメラを示すものである。このデジタルスチルカメラ７０は、カメラ機構が内蔵されたカメラケース７１と、このカメラケース７１の接眼レンズ７２を移動可能に覆うレンズカバー７３を備えて構成されている。
【００９１】
カメラケース７１は、横長とされた中空の筐体からなり、前面の長手方向の一側に、ファインダ７４と電子閃光装置１０と接眼レンズ７２を有するレンズ系とが縦並びに配置されている。このカメラケース７１の略中央部に、レンズカバー７３が長手方向にスライド可能に取り付けられている。このレンズカバー７３をスライドさせることにより、ファインダ７４と電子閃光装置１０のプロテクター１１と接眼レンズ７２が略同時に開閉される。
【００９２】
また、カメラケース７１の上面にはシャッタ釦７５が配置されている。そして、カメラケース７１の一方の側面には、電源としての乾電池を出し入れ可能とする電池蓋７６が取り付けられている。このような構成を有するデジタルスチルカメラ７０に前記電子閃光装置１０を搭載させて用いることにより、小型であっても発光効率が高く、夜間撮影においてもきれいな撮影を可能とする装置を提供することができる。
【００９３】
尚、電子閃光装置１０が用いられる電子機器としては、上述したデジタルスチルカメラ７０に限定されるものではなく、例えば、カメラ一体型ビデオテープレコーダ、スチルカメラ、写真機、又は静止画撮影機能付きビデオカメラその他の閃光装置が用いられる各種の電子機器に適用できることは勿論である。
【００９４】
このような電子閃光装置１０付き電子機器において、第１の反射面の断面が楕円や放物線等の所定の曲線からなる曲面を有する場合には、曲面の所定の位置に光源を配置すると、ランプの太さのために、どうしても開口部の幅が大きなものになってしまうが、本発明では、一対の第１の反射面と第２の反射面とが連続する連続部を光源の中心部よりも開口部側に設定するようにしたので、第２の反射面で反射される光量を増加させることが可能となった。
【００９５】
また、本発明は、撮像レンズとフラッシュを前面に備える撮像装置において、前記フラッシュは、一対の連続部間の長さを、円筒面部の直径よりも小さくした反射鏡として構成したことを特徴とする撮像装置として適用することができる。
【００９６】
現在、デジカメ等の撮像装置では、撮像素子やメモリ等の小型化により、撮像装置自体の小型化が進められている。しかし、従来のフラッシュではランプの太さに合わせて反射面を作っていたため、小型化には限度があった。これに対して、本発明では、光源収納部を設けると共に、光源の光を外部の所定の方向に放射する第１の反射面との上下連続部の間隔を、前記光源の直径よりも小さくして、いわばクビレの部分を設けたため、開口部を小さくしながらも、クビレの分だけ光源の光を外部の所定の方向に放射する面を、より大きくするよう構成することができたので、撮像装置も小型にすることが可能となった。
【００９７】
本発明は、上述しかつ図面に示した実施の形態に限定されるものではなく、その要旨を逸脱しない範囲内で種々の変形実施が可能である。例えば、上記実施例では、レンズ系が固定式である場合について説明したが、ズーム型、スポット型、接写型等にも適用できるものである。更に、蛍光ランプ（熱陰極管、冷陰極管等）を使用する反射鏡にも利用することができる。また、上下の配光角については、本発明の前記構成を用いることにより、その角度を正確に決定することが可能となり、従来のように実験に基づいて角度を導き出すようなことをせず、制作までの時間を短くできると共に金型費用を抑えることができる。
【００９８】
【発明の効果】
以上説明したように、本出願の請求項１記載の電子閃光装置用反射鏡によれば、一対の第１の反射面と第２の反射面との連続部を、第２の反射面に収納された光源の中心部よりも一対の第１の反射面の開口部側に設定する構成としたため、反射光の全部又は大部分を所定の配光角によって開口部から前方に放射させることができ、所定の光学性能を維持しつつ電子閃光装置の薄型化、小型化を図ることができるという効果が得られる。
【００９９】
本出願の請求項２記載の電子閃光装置用反射鏡によれば、第２の反射面を、円筒面部と一対の平行平面部と一対の傾斜平面部とで構成したため、第２の反射面を利用して、光源から出た光を１度、２度或いはそれ以上に反射させて開口部から前方へ効率よく放射させることができるという効果が得られる。
【０１００】
本出願の請求項３記載の電子閃光装置用反射鏡によれば、一対の第１の反射面と第２の反射面を連続する一対の連続部間の長さを、第２の反射面の直径よりも小さくする構成としたため、第２の反射面で反射されて第１の反射面側に向かう光量を増加させ、開口部から前方へ放射される光量を増加させることができるという効果が得られる。
【０１０１】
本出願の請求項４記載の電子閃光装置用反射鏡によれば、第２の反射面を楕円形とする構成としたため、光源の位置を中心面に沿って前後方向へ移動調整可能として、光源から放射される光の配光角の調整を簡単且つ確実に行うことができるという効果が得られる。
【０１０２】
本出願の請求項５記載の電子閃光装置用反射鏡によれば、第２の反射面を、曲面部と一対の平行平面部と一対の傾斜平面部とで構成したため、第２の反射面を利用して、光源から出た光を１度、２度或いはそれ以上に反射させて開口部から前方へ効率よく放射させることができるという効果が得られる。
【０１０３】
本出願の請求項６記載の電子閃光装置用反射鏡によれば、第２の反射面を、円筒面部と一対の平行平面部と一対の傾斜平面部とで構成したため、第２の反射面を利用して、光源から出た光を１度、２度或いはそれ以上に反射させて開口部から前方へ効率よく放射させることができるという効果が得られる。
【０１０４】
本出願の請求項７記載の電子閃光装置用反射鏡によれば、第２の反射面を、第１の曲面部と第２の曲面部と一対の傾斜部とで構成したため、第２の反射面を利用して、光源から出た光を１度、２度或いはそれ以上に反射させて開口部から前方へ効率よく放射させることができるという効果が得られる。
【０１０５】
本出願の請求項８記載の電子閃光装置用反射鏡によれば、第２の曲面部の曲率半径の中心部を、第１の交差部から中心面に垂直に降ろした交点又はその近傍の交点とする構成としたため、光源から出た光を第２の反射面から第１の反射面側に効率よく反射させ、開口部から前方へ効率よく放射させることができるという効果が得られる。
【０１０６】
また、本出願の請求項９記載の電子閃光装置によれば、光源から放射される光を反射させる反射鏡に一対の第１の反射面と第２の反射面を設け、その第１の反射面と第２の反射面とが連続する連続部を光源の中心部よりも開口部側に設定する構成としたため、反射光の全部又は大部分を開口部から前方に放射させることができ、所定の光学性能を維持しつつ電子閃光装置全体の薄型化、小型化を図ることができるという効果が得られる。
【図面の簡単な説明】
【図１】本発明の反射鏡の第１の実施例を断面して示す説明図である。
【図２】図１に示す第１の実施例に係る反射鏡の光路を説明するもので、図２Ａは光が直接前方に放射される状態、図２Ｂは光が平行平面で１次反射される状態、図２Ｃは光が前側円筒面で１次反射される状態をそれぞれ示す説明図である。
【図３】図１に示す第１の実施例に係る反射鏡の光路を説明するもので、図３Ａは光が第１の反射面で反射される状態、図３Ｂは光が傾斜平面で１次反射される状態、図３Ｃは光が平行平面で１次反射される状態をそれぞれ示す説明図である。
【図４】本発明の反射鏡の第２の実施例を断面して示す説明図である。
【図５】本発明の反射鏡の第３の実施例を断面して示す説明図である。
【図６】本発明の反射鏡の第４の実施例を断面して示す説明図である。
【図７】本発明の反射鏡の第５の実施例を断面して示す説明図である。
【図８】本発明の反射鏡の第１の実施例を有する電子閃光装置の一実施例を分解して示す斜視図である。
【図９】図８に示す本発明の電子閃光装置の一実施例の組立状態を示す斜視図である。
【図１０】図８に示す本発明の電子閃光装置が適用された電子機器の一実施例を示すもので、レンズカバーを開いた状態の斜視図である。
【図１１】図８に示す本発明の電子閃光装置が適用された電子機器の一実施例を示すもので、レンズカバーを閉じた状態の斜視図である。
【図１２】従来の反射鏡の例を示す説明図である。
【符号の説明】
１０…電子閃光装置、  １１…プロテクター、  １２…キセノン管（光源）、１３，４６，５０，６０，８０…反射鏡（リフレクター）、  １３ａ…開口部、  １４…ホルダ、  ２０…上面部、  ２１…下面部、  ２３，４７，６２，８１…光源収納部、  ２４，２５…第１の反射面、  ２６，６１，８２…第２の反射面、  ３０，３１…前側円筒面、  ３２…後側円筒面、  ３３，３４，５１，５２…平行平面、  ３５，３６，８５，８６…傾斜平面、  ３７…クビレ部、  ４８ａ，４８ｂ…平面部、  ８３，８４…曲面部、  α…配光角、  Ｂ１，Ｂ２…連続部、  Ｃ１，Ｃ２…垂直交差部、  Ｄ１，Ｄ２…第１の交差部、  Ｅ１，Ｅ２…第２の交差部、  Ｌ…中心面、  Ｏ，Ｏａ…中心部、  Ｒ，Ｒａ…曲率半径
【図１】
2004212926.tif 000007
【図２】
2004212926.tif 000008
【図３】
2004212926.tif 000009
【図４】
2004212926.tif 000010
【図５】
2004212926.tif 000011
【図６】
2004212926.tif 000012
【図７】
2004212926.tif 000013
【図８】
2004212926.tif 000014
【図９】
2004212926.tif 000015
【図１０】
2004212926.tif 000016
【図１１】
2004212926.tif 000017
【図１２】
2004212926.tif 000018